(57)【要約】【課題】筐体を折り畳んだ状態で外表面にあるサブディスプレイに加わる力によってメインディスプレイが変形したり、破壊したりしない携帯端末装置を実現する。【解決手段】サブディスプレイホルダ４の底部を浅いテーパ形状にした。このことにより、携帯端末装置の押圧時に、サブディスプレイホルダ４の底部に集中するメインディスプレイ１５への応力を分散させ、メインディスプレイ１５を変形や破壊から守る。  また、サブディスプレイホルダ４の底部の角部をＲ形状にした。このことにより、押圧時に、サブディスプレイホルダ４の底部の角部によるメインディスプレイ１５への応力を分散させ、メインディスプレイ１５を変形や破壊から守る。【選択図】図２
2009089304.tif 000002
【特許請求の範囲】
【請求項１】
筐体の一方の面にメインディスプレイを配置し、他方の面にサブディスプレイを配置した携帯端末装置において、
サブディスプレイ用ホルダの底部を浅いテーパ形状にしたことを特徴とする携帯端末装置。
【請求項２】
筐体の一方の面にメインディスプレイを配置し、他方の面にサブディスプレイを配置した携帯端末装置において、
サブディスプレイ用ホルダの底部の角部をＲ形状にしたことを特徴とする携帯端末装置。
【請求項３】
前記サブディスプレイ用ホルダは、枠と前記枠をまたぐ背面板とを有することを特徴とする請求項１または請求項２に記載の携帯端末装置。
【発明の詳細な説明】
【技術分野】
【０００１】
本発明は、筐体の両面に液晶表示装置等の表示手段を設けた携帯端末装置に関し、特に筐体の一方の面に大型のいわゆるメインディスプレイを配置し、他方の面に小型のいわゆるサブディスプレイを配置した携帯端末装置に関する。
【背景技術】
【０００２】
従来の折り畳み式携帯電話機のような携帯端末装置では、筐体を開いたときに各種の表示を行なうメインディスプレイを配置する一方で、筐体を折り畳んだ状態でも着信状態や時刻を表示するためのサブディスプレイを配置したものが実用化されている。
【０００３】
これら従来の携帯端末装置は、筐体を折り畳んだ状態で着信状態や時刻を確認できるので便利であるが、筐体を折り畳んだ状態でポケットや鞄にいれたり、あるいは手に持って携行したりする。そのため、例えばズボンの後ろポケットに携帯端末装置をいれた状態で座って、携帯端末装置の筐体が押しつけられたり、携帯端末装置を床に落としたりすることがある。これらの場合、筐体を折り畳んだ状態で外表面にあるサブディスプレイにかかる力がメインディスプレイに直接伝わって、メインディスプレイを変形させてしまう。極端な場合は、メインディスプレイを破壊してしまうことがある。
【０００４】
そこで、メインディスプレイとサブディスプレイとが上下に積層配置されている移動通信端末用デュアル型ＬＣＤモジュールにおいて、メインディスプレイとサブディスプレイとを一定間隔で離間して配置し、両ディスプレイ間に前記メインＬＣＤを覆って保護すると同時にサブディスプレイを支持するブラケットを配置する構成が提案されている。
【０００５】
図１２に上記従来の携帯端末装置の断面図を示す。図１２において、３０はメインディスプレイ用筐体を示し、４０はサブディスプレイ用筐体を示している。４１はメインディスプレイとサブディスプレイを一定間隔で離間して固定するブラケットである。３１はメインディスプレイであり、４２はサブディスプレイである。メインディスプレイ用筐体３０とサブディスプレイ用筐体４０には、それぞれメインディスプレイ用透明窓３２と、サブディスプレイ用透明窓４３を設けている。
【０００６】
図１２をみれば明らかなように、ブラケット４１によってメインディスプレイ３１とサブディスプレイ４２は、所定間隔だけ引き離されてメインディスプレイ用筐体３０とサブディスプレイ用筐体４０の中に配置されている。メインディスプレイ３１とサブディスプレイ４２とが所定間隔だけ引き離されているので、携帯端末装置に衝撃力がかかったとしても、メインディスプレイ３１とサブディスプレイ４２とが接触することはない。外表面にあるサブディスプレイに加わる力は、ブラケット４１で受け止められる。このことにより、従来の携帯端末装置でもメインディスプレイの変形や破壊を防ぐことができる（例えば、特許文献１参照）。
【０００７】
しかし、昨今、携帯電話機をはじめ、多くの携帯端末装置の薄型化が求められるようになってきた。携帯端末装置の薄型化が求められると、上記従来の構造では、メインディスプレイ３１とサブディスプレイ４２とが衝突しないために必要な間隔を確保することが難しくなる。
【０００８】
そこで、他の従来例として、メインディスプレイとサブディスプレイの間に空間を設ける代わりに、図１３に示したように、サブディスプレイの下面にプリント基板などの実体のある平面状の部品を当てて、サブディスプレイに加わる力を受け止める方法が考えられている。図１３は、他の従来の携帯端末装置のメインディスプレイとサブディスプレイを取り付けた筐体の断面図を示している。
【０００９】
図１３において、５０はメインディスプレイ用筐体であり、サブディスプレイ用筐体６０と上下方向に合体される。メインディスプレイ用筐体５０には、厚さ０．３ｍｍ程度のステンレス板からなるバックライト反射板５１を設け、バックライト反射板５１の下方に、透明プラスチック板からなる導光板５４と、液晶板からなるメインディスプレイ５５をメインデイスプレイホルダ５３によって取り付けている。そしてメインディスプレイ用筐体５０には、透明プラスチック板からなるメインディスプレイパネル５６を取り付けている。
【００１０】
図１３において、先に説明したバックライト反射板５１の上にはプリント基板５２を設け、プリント基板５２の上には、予め液晶板からなるサブディスプレイ６２を取り付けたサブディスプレイホルダ６１を固定している。サブディスプレイ６２の上面の周囲には防塵用のスポンジ６３を置いている。そして、スポンジ６３を押すような形でサブディスプレイ用筐体６０を被せている。サブディスプレイ用筐体６０には、透明プラスチック板からなるサブディスプレイパネル６４を取り付けている。
【００１１】
図１３の矢印Ｆの方向にサブディスプレイパネル６４が押されたとき、押圧力は、サブディスプレイパネル６４からサブディスプレイ用筐体６０に伝わり、サブディスプレイ６２には直接、力が伝わらないようにしている。
【特許文献１】特開２００６−２２７６２７号公報
【発明の開示】
【発明が解決しようとする課題】
【００１２】
しかし、図１４の矢印Ｇのように、サブディスプレイパネル６４の中央からずれた位置に押圧力が加わったときには、押圧力はサブディスプレイパネル６４からサブディスプレイ用筐体６０に伝わり、サブディスプレイ用筐体６０からサブディスプレイホルダ６１に伝わる。押圧力は、矢印Ｊに示すようにサブディスプレイホルダ６１の角（エツジ）の部分に力が集中して加わり、その下のプリント基板５２に伝わる。そして、バックライト反射板５１、導光板５４、メインディスプレイ５５に伝わってしまう。押圧力が衝撃的に加わったときには、メインディスプレイが変形したり破壊したりしてしまう。
【００１３】
本発明は、筐体の一方の面にメインディスプレイを配置し、他方の面にサブディスプレイを配置した携帯端末装置において、筐体を折り畳んだ状態で外表面にあるサブディスプレイに加わる力によってメインディスプレイが変形したり、破壊したりすることがない携帯端末装置を実現することを課題としている。
【課題を解決するための手段】
【００１４】
本発明は、サブディスプレイのホルダの底部に、ホルダの外側に向かって浅いテーパー状にしたテーパー面を形成している。このことにより、携帯端末装置が押圧されたときに、サブディスプレイのホルダの底部から伝わるメインディスプレイへの押圧力を分散させ、メインディスプレイを変形や破壊から防ぐようにしている。
【００１５】
また本発明は、サブディスプレイのホルダの底部の角部を、丸みを帯びたいわゆるＲ形状にしている。このことにより、携帯端末装置が押圧されたときに、サブディスプレイのホルダの底部の角部から伝わるメインディスプレイへの押圧力を分散させ、メインディスプレイを変形や破壊を防ぐようにしている。
【００１６】
また本発明は、サブディスプレイのホルダが、枠と前記枠をまたぐ背面板とを有するようにしている。このことにより、サブディスプレイのホルダの剛性を高め、サブディスプレイのホルダに押圧力が加わったときの変形量を小さくしている。
【発明の効果】
【００１７】
本発明は、筐体の一方の面にメインディスプレイを配置し、他方の面にサブディスプレイを配置した携帯端末装置において、携帯端末装置の筐体が押圧されたとき、サブディスプレイとメインディスプレイが近接していたとしても、メインディスプレイが変形したり、破壊したりすることを防止することができる。
【発明を実施するための最良の形態】
【００１８】
以下、図面とともに本発明の実施するための最良の形態について説明する。
【００１９】
（実施の形態１）
図１に、本発明の実施の形態１にかかる携帯端末装置である携帯電話機１００の外観斜視図を示す。図１では、折り畳み式携帯電話機１００の閉じた状態を示す。折り畳み式携帯電話機１００は、図示しないテンキー等の操作部を設けた第一筐体１と、メインディスプレイとサブディスプレイという二つの表示部を設けた第二筐体２をヒンジ３で矢印Ａ方向に開閉自在に連結している。
【００２０】
図１のように、折り畳み式携帯電話機１００を折り畳んだ状態では、サブディスプレイパネル６が見える。サブディスプレイパネル６の下には、破線で示すサブディスプレイ用のホルダ４に保持されたサブディスプレイ５を配置している。
【００２１】
図２に、折り畳み式携帯電話機１００の第二筐体２の断面図を示す。図２において、２ａはメインディスプレイ用筐体であり、サブディスプレイ用筐体２ｂと上下方向に合体される。メインディスプレイ用筐体２ａには、厚さ０．３ｍｍ程度のステンレス板からなるバックライト反射板１１を設け、バックライト反射板１１の下方に、透明プラスチック板からなる導光板１４と液晶板からなるメインディスプレイ１５をメインデイスプレイホルダ１３によって取り付けている。そして、メインディスプレイ用筐体２ａには、透明プラスチック板からなるメインディスプレイパネル１６を取り付けている。以上の構造は、図１３で示した従来の携帯端末装置と同じである。
【００２２】
図２において、バックライト反射板１１の上にはプリント基板１２を設けている。プリント基板１２の上には、予め液晶板からなるサブディスプレイ５を取り付けたサブディスプレイホルダ４を固定している。サブディスプレイ５の上面の周囲には防塵用のスポンジ７を置いている。そして、スポンジ７を押すような形でサブディスプレイ用筐体２ｂを被せている。サブディスプレイ用筐体２ｂには、透明プラスチック板からなるサブディスプレイパネル６を取り付けている。以上の構造も図１３で示した従来の携帯端末装置と同じである。本実施の形態１の携帯端末装置は、サブディスプレイホルダ４の形状に特徴がある。
【００２３】
図３に、本実施の形態１のサブディスプレイホルダ４とサブディスプレイ５を斜め上方向から見た分解斜視図を示す。図３において、サブディスプレイ５はサブディスプレイホルダ４に対して、矢印Ｂ方向に合体される。サブディスプレイホルダ４の形状について説明する。サブディスプレイホルダ４は四角い枠４ａがあり、枠４ａの内側の四隅にサブディスプレイ５を受けるための支え部４ｂを形成している。枠４ａの内側の一辺には一対のリブ４ｃを設け、対辺にはサブディスプレイ５の側面を押圧する一対の側圧アーム４ｄを設けている。側圧アーム４ｄには浮き上がり防止リブ４ｅを形成している。サブディスプレイ５を合体するときは、サブディスプレイ５の一端を側圧アーム４ｄに押し付けた状態で、他端をリブ４ｃに引っ掛けて合体させる。４ｆはネジ穴のあいた固定部であり、４ｆのネジ穴に図示しないネジを通してプリント基板に固定する働きをする。
【００２４】
本実施の形態１にかかる携帯端末装置のサブディスプレイホルダ４を図３のＣ−Ｃで切断したときの断面図を図４に示す。図４において、４ａは枠であり、４ｂは支え部である。サブディスプレイホルダ４の下面は４ｇのように外側に向かってテーパー状に薄くなっている。テーパーの傾斜については、図４で示す「Ｈ１」の寸法を１としたときに「Ｈ２」の寸法を０．２程度という浅いテーパー形状にしている。なお、断面図の各角については図４では尖っているように示しているが、実際には、各角にアールをとって、各角の面を曲面に仕上げている。
【００２５】
図５は、本実施の形態１のサブディスプレイホルダ４を裏返して見たときの斜視図である。サブディスプレイホルダ４の下面の周囲をぐるりとテーパー状にしてテーパー面４ｇを形成している。固定部４ｆの周囲についてもテーパー面を形成している。なお、図５の小さい矢印は、テーパー面４ｇの傾斜の向きを示している。
【００２６】
図６は、本実施の形態１のサブディスプレイホルダ４を裏返して見た斜視図の部分拡大図である。サブディスプレイホルダ４の下面のコーナー部分にＲをつけたＲ形状にしていることを示している。
【００２７】
図７に、折り畳み式携帯電話機１００の第二筐体２の断面図を再び示し、矢印Ｄの方向にサブディスプレイパネル６を押し始めたときの状態を示している。矢印Ｄ方向に加えられた押圧力は、サブディスプレイパネル６からサブディスプレイ用筐体２ｂに伝わり、サブディスプレイ用筐体２ｂからサブディスプレイホルダ４に伝わる。押圧力は、矢印Ｅに示すようにサブディスプレイホルダ４からその下のプリント基板１２に伝わるのであるが、サブディスプレイホルダ４の下面が外方向にテーパー状に薄くなっているため、押圧力が加わるとサブディスプレイホルダ４の下面のテーパー面４ｇがプリント基板に接するようになる。テーパー面４ｇとプリント基板が面で接触することになるため、プリント基板１２に加わる力は角（エッジ）に集中せず、分散される。テーパー面４ｇとプリント基板１２との圧力は小さい値になってしまう。プリント基板１２よりメインディスプレイ側にあるバックライト反射板１１、導光板１４、メインディスプレイ１５に集中した押圧力はかからない。このことにより、折り畳んだ状態の携帯端末装置の筐体が押圧されたとき、サブディスプレイとメインディスプレイが近接していたとしても、メインディスプレイが変形したり、破壊したりすることが防止される。
【００２８】
（実施の形態２）
次に、本発明の実施の形態２について説明する。本発明の実施の形態２では、サブディスプレイホルダに枠をまたぐ背面板を設けた点に特徴がある。背面板を設けたことによりサブディスプレイホルダの剛性を高め、サブディスプレイホルダに押圧力が加わったときの変形量を小さくしている。
【００２９】
図８に、本実施の形態２のサブディスプレイホルダ２０とサブディスプレイ５を斜め上方向から見た分解斜視図を示す。図８において、サブディスプレイ５はサブディスプレイホルダ２０対して、矢印Ｂ方向に合体されることは図３と同じである。サブディスプレイホルダ２０の基本的な形状も図３と同じである。図８のサブディスプレイホルダ２０には、サブディスプレイホルダの剛性を高め、枠２０ａの変形を防止するための背面板２０ｈを設けている。サブディスプレイホルダ２０の他の部分は、特に説明したところ以外は基本的に実施の形態１（図３）のサブディスプレイホルダ４と同じである。
【００３０】
図９は、本実施の形態２のサブディスプレイホルダ２０を裏返して見た斜視図である。サブディスプレイホルダ２０の枠２０ａに背面板２０ｈを設けていることを示している。背面板２０ｈがあると断面係数は大きくなり枠２０ａは変形しにくくなる。
【００３１】
図１０に、本発明の実施の形態２の折り畳み式携帯電話機の第二筐体２の断面図を示す。図１０では、プリント基板が２２ａと２２ｂの二つに分かれていて、その間の空間にサブディスプレイホルダ２０の背面板２０ｈを納めていることを示す。
【００３２】
図１１に、本発明の実施の形態２の折り畳み式携帯電話機の第二筐体２の断面図を再び示し、矢印Ｄの方向にサブディスプレイパネル６を押し始めたときの状態を示している。矢印Ｄ方向に加えられた押圧力は、サブディスプレイパネル６からサブディスプレイ用筐体２ｂに伝わり、サブディスプレイ用筐体２ｂからサブディスプレイホルダ２０に伝わる。しかし、実施の形態２のサブディスプレイホルダ２０は背面板２０ｈにより剛性が増しているので変形しにくく、サブディスプレイホルダ２０が平面を保ったままプリント基板２２ｂに力を伝えることとなる。そのため、折り畳んだ状態の携帯端末装置の筐体が押圧されたとき、サブディスプレイとメインディスプレイが近接していたとしても、メインディスプレイが変形したり、破壊したりすることが更に防止される。
【００３３】
なお、押圧力が衝撃的に加わった場合にディスプレイホルダ２０は変形するが、ディスプレイホルダ２０が変形したとしてもディスプレイホルダ２０の下面のテーパー面２０ｇがプリント基板２２ｂに接するので、プリント基板１２よりメインディスプレイ側にあるバックライト反射板１１、導光板１４、メインディスプレイ１５に集中した押圧力はかからない。そのため、押圧力が衝撃的に加わった場合であっても、メインディスプレイが変形したり破壊したりすることが防止される。
【００３４】
なお、前述の実施の形態１及び実施の形態２では、サブディスプレイ及びメインディスプレイとして、液晶表示装置を例にあげて説明したが、サブディスプレイ及びメインディスプレイのいずれかひとつ又は両者が有機ＥＬ素子を用いた表示装置等の他の表示手段であっても同様である。
【００３５】
また、前述の実施の形態１及び実施の形態２では、サブディスプレイ用ホルダの底部を浅いテーパ形状にする例を説明したが、これに代えて、サブディスプレイ用ホルダの底部をＲ形状にすることもできる。このことにより、携帯端末装置が押圧されたときに、サブディスプレイ用ホルダの底部から伝わるメインディスプレイへの押圧力を分散させ、メインディスプレイを変形や破壊から防ぐこともできる。
【００３６】
また、前述の実施の形態１及び実施の形態２では、サブディスプレイ用ホルダの底部の角部をＲ形状にする例を説明したが、これに代えて、または、これに加えて、サブディスプレイ用ホルダの底部の角部の下の構造物に穴をあけることもできる。このことにより、携帯端末装置が押圧されたときに、サブディスプレイ用ホルダの底部の角部から伝わるメインディスプレイへの押圧力を分散させ、メインディスプレイを変形や破壊を防ぐこともできる。
【産業上の利用可能性】
【００３７】
本発明は、携帯端末装置の筐体が押圧されたとき、サブディスプレイとメインディスプレイが近接していたとしても、メインディスプレイが変形したり、破壊したりすることを防止することができ、筐体の一方の面にメインディスプレイを配置し、他方の面にサブディスプレイを配置した携帯電話機、ＰＤＡ（Ｐｅｒｓｏｎａｌ  Ｄｉｇｉｔａｌ  Ａｓｓｉｓｔａｎｔｓ、携帯情報端末）、ノートパソコン、携帯型ゲーム機その他の携帯端末装置に適用することができる。
【図面の簡単な説明】
【００３８】
【図１】本発明の実施の形態１に係る携帯端末装置の外観図
【図２】本発明の実施の形態１に係る携帯端末装置の部分断面図
【図３】本発明の実施の形態１に係る携帯端末装置のサブディスプレイとサブディスプレイホルダの斜視図
【図４】本発明の実施の形態１に係る携帯端末装置のサブディスプレイホルダの断面図
【図５】本発明の実施の形態１に係る携帯端末装置のサブディスプレイホルダを裏返したときの斜視図
【図６】本発明の実施の形態１に係る携帯端末装置のサブディスプレイホルダを裏返したときの斜視図
【図７】本発明の実施の形態１に係る携帯端末装置の部分断面図
【図８】本発明の実施の形態２に係る携帯端末装置のサブディスプレイとサブディスプレイホルダの斜視図
【図９】本発明の実施の形態２に係る携帯端末装置のサブディスプレイホルダを裏返したときの斜視図
【図１０】本発明の実施の形態２に係る携帯端末装置の部分断面図
【図１１】本発明の実施の形態２に係る携帯端末装置の部分断面図
【図１２】従来の携帯端末装置の部分断面図
【図１３】従来の他の携帯端末装置の部分断面図
【図１４】従来の他の携帯端末装置の部分断面図
【符号の説明】
【００３９】
１    メインディスプレイ用筐体
２    サブディスプレイ用筐体
３    ヒンジ
４    サブディスプレイホルダ
４ｇ    テーパー面
５    サブディスプレイ
６    サブディスプレイパネル
７    スポンジ
１１    反射板
１２    プリント基板
１３    メインデイスプレイホルダ
１４    導光板
１５    メインディスプレイ
１６    メインディスプレイパネル
【図１】
2009089304.tif 000003
【図２】
2009089304.tif 000004
【図３】
2009089304.tif 000005
【図４】
2009089304.tif 000006
【図５】
2009089304.tif 000007
【図６】
2009089304.tif 000008
【図７】
2009089304.tif 000009
【図８】
2009089304.tif 000010
【図９】
2009089304.tif 000011
【図１０】
2009089304.tif 000012
【図１１】
2009089304.tif 000013
【図１２】
2009089304.tif 000014
【図１３】
2009089304.tif 000015
【図１４】
2009089304.tif 000016
【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
筐体の一方の面にメインディスプレイを配置し、他方の面にサブディスプレイを配置した携帯端末装置において、
前記メインディスプレイと前記サブディスプレイとは、少なくとも一部が互いに上下方向に重なる位置に配設され、
前記サブディスプレイを保持するサブディスプレイホルダの底部を外側に向かって浅いテーパ形状にしたことを特徴とする携帯端末装置。
【請求項２】
前記サブディスプレイホルダの底部の角部をＲ形状にしたことを特徴とする請求項１に記載の携帯端末装置。
【請求項３】
前記サブディスプレイホルダは、枠と前記枠をまたぐ背面板とを有することを特徴とする請求項１または請求項２に記載の携帯端末装置。
【手続補正２】
【補正対象書類名】明細書
【補正対象項目名】００１４
【補正方法】変更
【補正の内容】
【００１４】
本発明は、筐体の一方の面にメインディスプレイを配置し、他方の面にサブディスプレイを配置した携帯端末装置において、前記メインディスプレイと前記サブディスプレイとは、少なくとも一部が互いに上下方向に重なる位置に配設され、前記サブディスプレイを保持するサブディスプレイホルダの底部を外側に向かって浅いテーパ形状にしたことを特徴とする携帯端末装置としている。このことにより、携帯端末装置が押圧されたときに、サブディスプレイホルダの底部から伝わるメインディスプレイへの押圧力を分散させ、メインディスプレイを変形や破壊から防ぐようにしている。
【手続補正３】
【補正対象書類名】明細書
【補正対象項目名】００１５
【補正方法】変更
【補正の内容】
【００１５】
また本発明は、前記サブディスプレイホルダの底部の角部をＲ形状にしている。このことにより、携帯端末装置が押圧されたときに、サブディスプレイホルダの底部の角部から伝わるメインディスプレイへの押圧力を分散させ、メインディスプレイを変形や破壊を防ぐようにしている。
【手続補正４】
【補正対象書類名】明細書
【補正対象項目名】００１６
【補正方法】変更
【補正の内容】
【００１６】
また本発明は、前記サブディスプレイホルダが、枠と前記枠をまたぐ背面板とを有するようにしている。このことにより、サブディスプレイホルダの剛性を高め、サブディスプレイホルダに押圧力が加わったときの変形量を小さくしている。